(57)【要約】  【課題】物品の収納機能に優れ、しかも体裁が良い椅子を提供する。  【手段】座３の後端には起立部３ｂが形成されている。背もたれ４は、座３の起立部３ｂの手前側に位置する基部４ａと、その上端から後方に延びる上水平部４ｂとを備えている。座３の起立部３ｂには左右横長の水平部６ｂを有する支持フレーム６が取り付けられており、水平部６ｂに背もたれ４が跳ね上げ回動自在に取り付けられている。座３の起立部３ｂには上向きに開口した切欠き部８が形成されており、この箇所に設けたネット９によって収納部１０を構成している。【選択図】      図１
2005103022.tif 000002
【特許請求の範囲】
【請求項１】
脚に固定された座と、前記座の後部に配置した背もたれとを備えており、
座の後方部に、物品の収納部を、その大部分又は一部が背もたれによって前方から隠されるようにして設けており、背もたれは、前記収納部を開閉し得るように可動式になっている、
椅子。
【請求項２】
前記背もたれは、着座者の背中が当たる基部とその上端から後ろ向きに延びる上板部とを備えており、この背もたれを、その後部を中心にして跳ね上げ回動させ得るように前記上板部の後部を左右長手のフレームに取り付けている一方、
前記座の後部には左右適宜幅で後ろ向きに開口した切欠き部が形成されており、この切欠き部の前面と、前記フレーム又は背もたれにおける上板部の後部下方に配置した左右横長のバーとにネットの端部を固定し、このネットと背もたれと座とで囲われた空間を収納部と成している、
請求項２に記載した椅子。
【請求項３】
前記座の後端縁のうち前記切欠き部を挟んだ左右両側には略上向きに延びる起立部が形成されており、この起立部の手前側に背もたれの基部が配置されており、かつ、前記ネットは左右起立部の間に配置されている、
請求項２に記載した椅子。
【請求項４】
着座者の側方において前後方向に長く延びる肘掛け兼用のサイドテーブルを備えており、このサイドテーブルの下方に物品の収納部を形成している、
椅子。
【発明の詳細な説明】
【技術分野】
【０００１】
本発明は椅子に関するものである。なお、椅子にはソファーを含んでいる。
【背景技術】
【０００２】
椅子には様々の種類があるが、座と脚との関係では、座が脚支柱に回転自在に取付けられている回転椅子と、座が脚に固定されている非回転式椅子とに分類される。回転式椅子は机とセットで使用されることが多いが、非回転式椅子は、例えば待合室やミーティングルーム等のフロアーに独立して設置されることが多いと言える。
【０００３】
ところで、オフィスでは従来はスタッフ各人が専用の机をもっていたが、例えば外回りが殆どの営業マンのように自席の使用時間がきわめて少ないスタッフについては、自席をもたないノンテリトリアル又はフリーアドレスという方式が広がっている。
【０００４】
このようなノンテリトリアル方式やフリーアドレス方式によるオフィスの使用形態において、出社時のミーティング等に使用する席として椅子のみを使用すると、テーブルと椅子とをセットで使用する場合に比べて、スペースを有効利用することができる。
【０００５】
このように椅子だけを使用してミーティング等を行う場合、鞄や書類、コート等の荷物を手の近くに置きたい場合があり、椅子が物品の収納機能を備えていると便利である。
【０００６】
この点について特許文献１（実公平３−１６５１６号公報）には、座の後端と背もたれの下端との間に空間が空いている椅子において、座の後端と背もたれの下端とにネットの前後端を固定して、座の後方に収納部を設けることが記載されている。
【特許文献１】実公平３−１６５１６号公報
【発明の開示】
【発明が解決しようとする課題】
【０００７】
前記特許文献１では、収納部は椅子の手前に開口したままであるため、体裁があまり良くなく、また、収納した物品が着座者の腰や臀部に当たる虞もある。
【０００８】
また、座面の下方の空間を収納部に利用することも行われているが、これでは一々身体を屈ませて物品の出し入れを行わなければならないため、出し入れ作業が面倒である。特に、女性の場合は心理的な抵抗が加わって、その使用を敬遠される傾向が強いと言える。
【０００９】
本願発明は、このような現状を改善することを課題とするものである。
【課題を解決するための手段】
【００１０】
請求項１の発明に係る椅子は、脚に固定された座と、前記座の後部に配置した背もたれとを備えており、座の後方部に、物品の収納部を、その大部分又は一部が背もたれによって前方から隠されるようにして設けており、背もたれは、前記収納部を開閉し得るように可動式になっている。
【００１１】
請求項２の発明では、請求項１において、前記背もたれは、着座者の背中が当たる基部とその上端から後ろ向きに延びる上板部（上平坦部）とを備えており、この背もたれを、その後部を中心にして跳ね上げ回動させ得るように前記上板部の後部を左右長手のフレームに取り付けている。
【００１２】
一方、前記座の後部には左右適宜幅で後ろ向きに開口した切欠き部が形成されており、この切欠き部の前面と、前記フレーム又は背もたれにおける上板部の後部下方に配置した左右横長のバーとにネットの端部を固定し、このネットと背もたれと座とで囲われた空間を収納部と成している。
【００１３】
請求項３の発明では、請求項２において、前記座の後端縁のうち前記切欠き部を挟んだ左右両側には略上向きに延びる起立部が形成されており、この起立部の手前側に背もたれの基部が配置されており、かつ、前記ネットは左右起立部の間に配置されている。
【００１４】
請求項４の発明に係る椅子は、着座者の側方において前後方向に長く延びる肘掛け兼用のサイドテーブルを備えており、このサイドテーブルの下方に物品の収納部を形成している。
【発明の効果】
【００１５】
請求項１の発明では、収納部は少なくともその一部が背もたれによって前方から覆われているため、収納部の全体が露出することによる体裁の悪化を防止又は抑制することができると共に、収納した物品に人の腰や臀部が当たることも防止又は抑制できる。更に、背もたれは可動式であるため、収納部への物品の出し入れには支障はない。
【００１６】
また、収納部は座面よりも上方に開口することになるため、自然な姿勢で物品を出し入れすることができ、このため、女性でも抵抗感なく使用することができて使い勝手が良い。
【００１７】
請求項２のように構成すると、座に後向き開口の切欠き部を形成したことにより、収納部の収納容積を大きくして収納量を増やすことができる。また、背もたれはその上端に平坦面を有しているため、背もたれの上面に物品を載せることができる。すなわち、背もたれの上水平板の下方と上方との両方に物品を置くことができるのであり、このため使い勝手が一層向上する。
【００１８】
請求項３のように構成すると、ネットは背もたれと左右の起立部とで囲われるため、ネットが後方に大きく露出することを抑制して体裁が良い。請求項３において、ネットをフレームに取付けると、背もたれの支持部材とネットの支持部材とを共用できるため、それだけ全体の構成を簡単化することができる。
【００１９】
請求項４のように構成すると、着座者はサイドテーブルを使用して筆記等の作業を行えるため、椅子の使い勝手を一層向上できるのであり、しかも、サイドテーブルの下方のデッドスペースを物品の収容に有効利用することができる。
【発明を実施するための最良の形態】
【００２０】
次に、本願発明の実施形態を図面に基づいて説明する。
【００２１】
(1).第１実施形態（図１〜図３）
図１〜図３では第１実施形態を示している。図１は斜視図、図２（Ａ）は一部破断側面図、図２（Ｂ）は部分的な側断面図、図３は一部破断正面図である。
【００２２】
椅子は、キャスター１付きの脚２と、脚２に固定された平面視四角形状の座３と、座３の後部に配置した背もたれ４と、座３の側部上方に配置した前後長手のサイドテーブル５とを備えている。サイドテーブル５は着座者が肘を載せることのできる高さに配置されており、サイドテーブルの後端面と背もたれ４の後端面とは同一面を成すように揃えられている。
【００２３】
座３は合成樹脂等によって中空状に形成されており、その表面にはクロスを張っている。なお、座３は合板製としても良いし、上面にクッション材を張ってもよい。本実施形態では、座３の前部は緩い角度で前傾した下向き部３ａとなっており、座３の後部には緩い角度で後傾する起立部３ｂを一体に設けている。
【００２４】
座３の起立部３ｂに金属パイプ製の支持フレーム６を取り付け、この支持フレーム６に背もたれ４を取り付けている。支持フレーム６の左右両端は座３の起立部３ｂの前面から手前側に延びており、前後方向に延びる第１水平部６ａと、左右の第１水平部６ａの後端に連なる左右横長の第２水平部６ｂとを備えている。
【００２５】
背もたれ４は合成樹脂等によって中空状に形成されており、その前表面にクロスを張っている。背もたれ４は、後傾状の基部４ａとその上端から後方に延びる上板部４ｂとで側面く字状（屈曲した形状）に形成されており、このため背もたれ４の上面は、ある程度の大きさの物品を載置できる平坦面になっており、また、上面には物品を安定して載置できるような硬さを備えている。
【００２６】
そして、背もたれ４における上板部４ｂの後端部下面を支持フレーム６の第２水平部６ｂに軸受け部材７で取り付けている。このため、背もたれ４は支持フレーム６の第２水平部６ｂを中心にして跳ね上げ回動させることができる。なお、背もたれ４を跳ね上げ回動させるための取り付け構造としては、支持フレーム６の第２水平部６ｂに蝶番で取り付けるなど、様々の態様を採用できる。
【００２７】
背もたれ４を手前側に倒した状態では、背もたれ４はその上板部４ｂが支持フレーム６の第１水平部６ａで支持されることによって安定した姿勢に保持されている。他方、背もたれ４を跳ね上げる回動すると、上板部４ｂの後端が座３の起立部３ｂに上方から当接して跳ね上げ姿勢が保持される。なお、背もたれ４は合板製としても良いし、基部４ａの前面にクッションを張っても良い。
【００２８】
座３の後部及び起立部３ｂには、背もたれ４よりも左右幅が小さいを切欠き部８を後ろ向きに開口するように切り開き形成しており、左右の起立部３ｂの上端間に水平状のバー７を装架し、切欠き部８の手前側の内面とバー７とにネット９の前端と後端とを各々固定し、これにより、座３の後部に物品収納部１０を形成している。
【００２９】
従って、背もたれ４を跳ね上げ回動することにより、物品収納部１０は大きく開口し、鞄や上着等の様々の物品１１を出し入れすることがてき。このため便利である。図２（Ｃ）に変形例として示するように、ネット９の後端は支持フレーム６の第２水平部６ｂに取付けてもよい。また、ネット９に代えて布を使用することも可能である。
【００３０】
支持フレーム６の第２水平部６ｂは座３における起立部３ｂの真上に配置されている。このため、ネット９は左右の起立部３ｂの間に入り込んでおり、このため美観に優れると共に、ネット９に人や物が引っ掛かることを防止できる利点がある。
【００３１】
サイドテーブル５は中空状で表面にはクロスを張った構造であり、その後部を支持フレーム６に固定すると共に、やや後ろ寄り部位は中空状の支柱１２で座３に支持されている。支柱１２には、電源用コンセント１３と通信用接続口１４とを有するコネクタを設けている。
【００３２】
サイドテーブル５は、上面にノート型パソコン１５を載置できる程度の左右幅であり、具体的には、２００〜３００ｍｍ程度が好ましいと言える。また、サイドテーブル５の上面と背もたれ４の上面とは同一面を成すように揃えられている。このため体裁が良いと共に、物品をサイドテーブル５と背もたれ４との両方に跨がった状態に載置できる利点がある。
【００３３】
以上の説明から理解できるように、物品は収納部１０にすっきりと隠した状態に収納できるため、物品が椅子の外側に露出することはなくても体裁が良い。また、椅子の後ろを歩く人の身体が物品に当たるような不具合も防止又は抑制できる。
【００３４】
なお、コンセント１３等のコネクタは必ずしも支柱１２に設ける必要はなく、サイドテーブル５の下面又は側面に設けたり、座３の下面又は側面に設けたり、図２（Ｂ）に一点鎖線で示すように座３における起立部３ｂの前面に設けるなどしても良い。
【００３５】
いずれにしても、美観及びプラグ保護のため、コンセント１３等のコネクタはサイドテーブル５で隠した状態に配置するのが好ましい。また、サイドテーブル５を支持フレーム６及び支柱等の受け部材に対して回動式自在又は着脱自在に取付けると、プラグの抜き差しが容易になる利点がある。
【００３６】
なお、本実施形態のように座３の前端に下向き部３ａを形成すると、座３の起立部３ｂとのバランスが取れてデザイン的にすっきりしたものとなり、また、ソファーのような重厚感が醸し出される利点がある。
【００３７】
(2).第２実施形態（図４〜図６）
図４〜図６では第２実施形態を示している。図４は斜視図、図５は平面図、図６は変形例の部分斜視図である。収納構造は第１実施形態と同じである。
【００３８】
この実施形態は、サイドテーブル５が座３の外側にはみ出る状態で配置されている点で第１実施形態と相違している。また、サイドテーブル５は、支持手段の一例としてのブラケット１７を介して座３や脚２に固定されている。
【００３９】
ブラケット１７の形態は様々に設定することができる。図４及び図５のようにＬ形の形態としても良いし、図６に示すように板状に形成しても良い。図６の場合は、サイドテーブル５は平面でサイドテーブル５と部分的に重なることになる。
【００４０】
この実施形態のようにサイドテーブル５を座３の外側にはみ出る態様で配置すると、人が足をサイドテーブル５の下方に入り込ませるにおいて座３が邪魔にならないため、使い勝手の点でより優れていると言える。
【００４１】
(3).第３実施形態（図７〜図９）
図７〜図９では第３実施形態を示している。図７は正面図、図８は一部破断側面図、図９は図７のIX−IX視平断面図である。
【００４２】
この実施形態では、サイドテーブル５は、床上に自立できるように脚柱１８とベース１９とを有する脚装置２０を備えている。脚柱１８は前傾状の姿勢になっている。これは、着座者がサイドテーブル５の下方に足を入り込ませやすいようにするためである。
【００４３】
脚支柱１８の上下中途高さ位置には、ブラケット２１を介して縦長のピン状係止体２２を左右に振り分けた状態で配置されている一方、座３における脚２の上水平部２ａには、前記係止体２２が手前側からの移動によって嵌まる受け部材２３を設けている（受け部材２３は座３に設けても良い）。図９に一点鎖線で示すように、係止体２２をねじ止め式の押さえ板２４にて受け部材２３に固定することも可能である。
【００４４】
サイドテーブル５の後端部には、背もたれ４の上板部４ｂが載る横向き突起２５を設けている。横向き突起２５と背もたれ４の上板部４ｂとは上下方向から嵌まり合うように構成しても良い。なお、サイドテーブル５を椅子の本体部に係脱させる係止手段は、他の様々の組み合わせを採用することができる。
【００４５】
この実施形態では、サイドテーブル５は椅子の本体部に対して着脱自在であり、かつ、それ自身が床に自立するため、左右の付け替えが簡単である。また、独立して使用することも可能であるため、例えば、相対向して配置した２つの椅子の間に設置するという使用態様も採ることができる。
【００４６】
この実施形態では、背もたれ４は、後ろ向きのブラケット２６を介して座３の起立部３ｂに水平軸２７で取り付けられている。図示していないが、安定した姿勢を保持するためのストッパー手段を座３の起立部３ｂに設けている。
【００４７】
(4).第４実施形態（図10）
図１０では第４実施形態を示している。（Ａ）は部分的な平面図、（Ｂ）は正面図、（Ｃ）は縦断側面図である。
【００４８】
この実施形態では、収納部９を実現する手段として上向きに開口した収納箱２８を背もたれ４の後方に配置し、これを背もたれ４または座３の左右側板３ｃの背面に固定している。
【００４９】
座３における左右側板３ｃの後部上端間には、右水平状に延びる支持バー２９を装架して、この支持バー２９に蓋板３０の後端部下面を回動自在に取り付けている。サイドテーブル５は座３の側板３ｃに取り付けている。
【００５０】
(5).第５実施形態（図11）
図１１は第５実施形態の一部破断正面図であり、サイドテーブル５の下方に上向き開口の収納箱３２を配置しており、収納箱３２の長手一側縁に蝶番にてサイドテーブル５を外向き回動自在に取り付けている。他の構成は第１実施形態と同じである。
【００５１】
(6).その他
本発明は、上記の実施形態の他にも様々に具体化することができる。例えば、複数人が掛けることのできる多連式椅子に適用することもできる。収納部の具体的形態としては、実施形態のようにネットや箱で構成するには限らず、金網のような剛性網体製としても良い。
【００５２】
背もたれの可動態様は跳ね上げ回動させることには限らず、支持フレーム等の支持手段に、左右スライド自在又は前後スライド自在に取付けたり、着脱自在に取付けたりしてもよい。また、背もたれを左右２個のパーツに分割して、両者を左右方向に跳ね上げ回動自在とすることも可能である。
【００５３】
サイドテーブルの下方に収納部を設ける場合、手前側又は左右外側に引き出す引き出し方式としたり、サイドテーブルを着脱式とすることも可能である。
【図面の簡単な説明】
【００５４】
【図１】第１実施形態の斜視図、（Ａ）は背もたれを倒した状態の図、（Ｂ）は背もたれを起こした状態の図である。
【図２】（Ａ）は一部破断側面図、（Ｂ）は部分的な側断面図である。
【図３】一部破断正面図である。
【図４】第２実施形態の斜視図である。
【図５】平面図である。
【図６】変形例の部分斜視図である。
【図７】第３実施形態の正面図である。
【図８】一部破断側面図である。
【図９】図７のIX−IX視平断面図である。
【図１０】第４実施形態の斜視図である。
【図１１】第５実施形態を示す図である。
【符号の説明】
【００５５】
２  脚
３  座
４  背もたれ
５  サイドテーブル
６  支持フレーム
８  切欠き部
９  ネット
１０  収納部
【図１】
2005103022.tif 000003
【図２】
2005103022.tif 000004
【図３】
2005103022.tif 000005
【図４】
2005103022.tif 000006
【図５】
2005103022.tif 000007
【図６】
2005103022.tif 000008
【図７】
2005103022.tif 000009
【図８】
2005103022.tif 000010
【図９】
2005103022.tif 000011
【図１０】
2005103022.tif 000012
【図１１】
2005103022.tif 000013